【手続補正書】
【提出日】平成24年2月3日(2012.2.3)
【手続補正１】
【補正対象書類名】特許請求の範囲
【補正対象項目名】全文
【補正方法】変更
【補正の内容】
【特許請求の範囲】
【請求項１】
支持体上に、増感色素、重合開始剤、重合性化合物、バインダーポリマーを含有する感光層と、非イオン性親水基変性ポリビニルアルコールを含有する保護層をこの順に有することを特徴とする平版印刷版原版。
【請求項２】
前記非イオン性親水基変性ポリビニルアルコールが、（ｉ）非イオン性親水基を有する重合単位と、（ii）ビニルアルコール単位を有する重合体であることを特徴とする請求項１に記載の平版印刷版原版。
【請求項３】
前記非イオン性親水基を有する重合単位が、以下の一般式（１）〜（６）で表される構造から選ばれる少なくとも１種であることを特徴とする請求項２に記載の平版印刷版原版。
【化１】
2010276989.tif 000001
式（１）〜（６）中、Ｘは単結合又は２価の連結基を表し、Ｙは−Ｏ−又は−Ｎ（Ｒ５）−を表し、Ａはアルキレンオキサイド部位を表し、Ｂは水素原子又は炭素数１〜５のアルキル基を表し、Ｒ１は水素原子又はメチル基を表し、Ｒ２〜Ｒ４は水素原子、炭素数１〜５のアルキル基又は−Ａ−Ｂを表し、Ｒ２とＲ３は互いに連結して環を形成しても良く、Ｒ５は水素原子又は炭素数１〜５のアルキル基を表す。
【請求項４】
前記アルキレンオキサイド部位が、以下の一般式（７）表されるブロック連結型のアルキレンオキサイド部位および一般式（８）で表されるランダム連結型のアルキレンオキサイド部位から選ばれる少なくとも１種であることを特徴とする請求項３に記載の平版印刷版原版。
【化２】
2010276989.tif 000002
式（７）〜（８）中、Ａ１、Ａ２は各々独立して炭素数１〜４のアルキレン基を表し、ｍ、ｎは各々０〜１００の自然数を表す。但し、ｍとｎが同時に０になることは無い。
【請求項５】
前記非イオン性親水基が、アルキレンオキサイド部位及びアミド基から選択される少なくとも１種であることを特徴とする請求項１に記載の平版印刷版原版。
【請求項６】
請求項１〜５のいずれか１項に記載の平版印刷版原版を、ｐＨ２〜１１の現像液で処理することを特徴とする平版印刷版の作製方法。
【請求項７】
前記現像液が、炭酸イオンおよび炭酸水素イオンを含むことを特徴とする請求項６に記載の平版印刷版の作製方法。
【請求項８】
前記現像液が、水溶性のアミン化合物とそのアミン化合物のイオンを含むことを特徴とする請求項６に記載の平版印刷版の作製方法。
【請求項９】
前記現像液が、ノニオン系界面活性剤を含むことを特徴とする請求項６〜８のいずれか１項に記載の平版印刷版の作製方法。
【手続補正２】
【補正対象書類名】明細書
【補正対象項目名】０００９
【補正方法】変更
【補正の内容】
【０００９】
（１）支持体上に、増感色素、重合開始剤、重合性化合物、バインダーポリマーを含有する感光層と、非イオン性親水基変性ポリビニルアルコールを含有する保護層をこの順に有することを特徴とする平版印刷版原版。
（２）前記非イオン性親水基変性ポリビニルアルコールが、（ｉ）非イオン性親水基を有する重合単位と、（ii）ビニルアルコール単位を有する重合体であることを特徴とする上記（１）に記載の平版印刷版原版。
（３）前記非イオン性親水基を有する重合単位が、以下の一般式（１）〜（６）で表される構造から選ばれる少なくとも１種であることを特徴とする上記（２）に記載の平版印刷版原版。
【手続補正３】
【補正対象書類名】明細書
【補正対象項目名】００１１
【補正方法】変更
【補正の内容】
【００１１】
式（１）〜（６）中、Ｘは単結合又は２価の連結基を表し、Ｙは−Ｏ−又は−Ｎ（Ｒ５）−を表し、Ａはアルキレンオキサイド部位を表し、Ｂは水素原子又は炭素数１〜５のアルキル基を表し、Ｒ１は水素原子又はメチル基を表し、Ｒ２〜Ｒ４は水素原子、炭素数１〜５のアルキル基又は−Ａ−Ｂを表し、Ｒ２とＲ３は互いに連結して環を形成しても良く、Ｒ５は水素原子又は炭素数１〜５のアルキル基を表す。
（４）前記アルキレンオキサイド部位が、以下の一般式（７）表されるブロック連結型のアルキレンオキサイド部位および一般式（８）で表されるランダム連結型のアルキレンオキサイド部位から選ばれる少なくとも１種であることを特徴とする上記（３）に記載の平版印刷版原版。
【手続補正４】
【補正対象書類名】明細書
【補正対象項目名】００１３
【補正方法】変更
【補正の内容】
【００１３】
式（７）〜（８）中、Ａ１、Ａ２は各々独立して炭素数１〜４のアルキレン基を表し、ｍ、ｎは各々０〜１００の自然数を表す。但し、ｍとｎが同時に０になることは無い。
（５）前記非イオン性親水基が、アルキレンオキサイド部位及びアミド基から選択される少なくとも１種であることを特徴とする上記（１）に記載の平版印刷版原版。
（６）上記（１）〜（５）のいずれか１項に記載の平版印刷版原版を、ｐＨ２〜１１の現像液で処理することを特徴とする平版印刷版の作製方法。
（７）前記現像液が、炭酸イオンおよび炭酸水素イオンを含むことを特徴とする上記（６）に記載の平版印刷版の作製方法。
（８）前記現像液が、水溶性のアミン化合物とそのアミン化合物のイオンを含むことを特徴とする上記（６）に記載の平版印刷版の作製方法。
（９）前記現像液が、ノニオン系界面活性剤を含むことを特徴とする上記（６）〜（８）のいずれか１項に記載の平版印刷版の作製方法。
【手続補正５】
【補正対象書類名】明細書
【補正対象項目名】００８３
【補正方法】変更
【補正の内容】
【００８３】
Ａｒ1、Ａｒ2は、それぞれ同じでも異なっていてもよく、置換基を有していてもよい芳香族炭化水素基を示す。好ましい芳香族炭化水素基としては、ベンゼン環およびナフタレン環が挙げられる。また、好ましい置換基としては、炭素原子数１２個以下の炭化水素基、ハロゲン原子、炭素原子数１２個以下のアルコキシ基が挙げられる。Ｙ1、Ｙ2は、それぞれ同じでも異なっていてもよく、硫黄原子または炭素原子数１２個以下のジアルキルメチレン基を示す。Ｒ3、Ｒ4は、それぞれ同じでも異なっていてもよく、置換基を有していてもよい炭素原子数２０個以下の炭化水素基を示す。好ましい置換基としては、炭素原子数１２個以下のアルコキシ基、カルボキシル基、スルホ基が挙げられる。Ｒ5、Ｒ6、Ｒ7およびＲ8は、それぞれ同じでも異なっていてもよく、水素原子または炭素原子数１２個以下の炭化水素基を示す。原料の入手性から、好ましくは水素原子である。Ｚａ-は、対アニオンを示す。ただし、一般式（ａ）で示されるシアニン色素が、その構造内にアニオン性の置換基を有し、電荷の中和が必要ない場合にはＺａ-は必要ない。Ｚａ-は、感光層塗布液の保存安定性から、好ましくはハロゲンイオン、過塩素酸イオン、テトラフルオロボレートイオン、ヘキサフルオロホスフェートイオンまたはスルホン酸イオンであり、特に好ましくは過塩素酸イオン、ヘキサフルオロフォスフェートイオンまたはアリールスルホン酸イオンである。
【手続補正６】
【補正対象書類名】明細書
【補正対象項目名】０１０５
【補正方法】変更
【補正の内容】
【０１０５】
一般式（Ｉ）におけるＲ２で表される連結基は、炭素原子、水素原子、酸素原子、窒素原子、硫黄原子及びハロゲン原子から構成されるもので、その原子数は好ましくは１〜８０である。具体的には、アルキレン、置換アルキレン、アリーレン、置換アリーレンなどが挙げられ、これらの２価の基がアミド結合やエステル結合で複数連結された構造を有していてもよい。Ｒ２としては、単結合、アルキレン、置換アルキレンが好ましく、単結合、炭素数１〜５のアルキレン、炭素数１〜５の置換アルキレンが特に好ましく、単結合、炭素数１〜３のアルキレン、炭素数１〜３の置換アルキレンが最も好ましい。
置換基としては、水素原子を除く１価の非金属原子団を挙げることができ、ハロゲン原子（−Ｆ、−Ｂｒ、−Ｃｌ、−Ｉ）、ヒドロキシル基、アルコキシ基、アリーロキシ基、メルカプト基、アシル基、カルボキシル基及びその共役塩基基、アルコキシカルボニル基、アリーロキシカルボニル基、カルバモイル基、アリール基、アルケニル基、アルキニル基等が挙げられる。